(57)【要約】ジャイロスコープの出力に関する加速度の効果の力効果モデルが決定される。それから、回転シーケンスは、これらのパラメータの較正情報を提供するために、力効果のモデルのパラメータを励起し、観察することを許すよう考案される。ジャイロスコープの力効果モデルのパラメータを含む状態ダイアグラムは、状態ダイアグラムにおいてある位置から別の位置に移ることにより、対応する動きにしたがってジャイロスコープのトライアドが回転することで起きるジャイロスコープのエラーを示す力効果モデルに由来する。状態ダイアグラムを通して達成可能な、全てのあり得るクローズドなループパスを、指定された回転数だけ回数させた複数の軸を持つレートテーブルを用いることで、ジャイロのトライアドのエラー較正を加速度の較正から分離する。最小限の長さを有し、より大きなエラー感度を示すクローズドなループパスは、エラーのパラメータを較正し、力に依存するジャイロスコープの感度を下げるために選択される。
2006514294.tif 000002
【特許請求の範囲】
【請求項１】
慣性機器の出力に存する力に依存する（force-dependent）エラーを較正する方法であって、
慣性機器の測定結果を複数回作成することと、
慣性機器の出力に存在する力に依存するエラーの力効果（force-effect）のモデルを前記慣性機器の測定結果から導出し、その力効果のモデルは１または複数のパラメータを有することと、
１または複数の力に依存するエラーと力効果のモデルのパラメータとの間から関係を開発し、その１または複数の力に依存するエラーは回転のシーケンスから作成されることと、
から構成される方法。
【請求項２】
前記力効果のモデルは、機器が経験した入力された力の関数として導出されることを特徴とする請求項１に記載の方法。
【請求項３】
前記力効果のモデルは、力効果のモデルのパラメータの行列および力のベクトルにより定義されることを特徴とする請求項１に記載の方法。
【請求項４】
前記力効果のモデルは、式
2006514294.tif 000019
により生成され、
2006514294.tif 000020
は機器の出力、Ｓは力効果のモデルのパラメータの行列、ＧＢは機器によって測定されるボディーフレーム（body frame）Ｂの重力ベクトルであることを特徴とする請求項３に記載の方法。
【請求項５】
前記力に依存するエラーと力効果のモデルのパラメータとの関係は、状態ダイアグラムに代表されることを特徴とする請求項１に記載の方法。
【請求項６】
複数の軸を有するテーブルの１または複数の軸について、機器がある位置から別の位置に回転し、前記回転による結果としての状態ダイアグラムを代表するエラーを生成することを特徴とする請求項５に記載の方法。
【請求項７】
慣性機器を励起させ、１または複数の力に依存するエラーを観察するために、最初の回転シーケンスのセットを探すことをさらに備える請求項１に記載の方法。
【請求項８】
前記最初の回転シーケンスのセットは、複数軸をサポートするシステムにおける１または複数の軸の機器の一連の回転であって、そのシステムは機器の測定結果に影響を与えるエラーパラメータを顕わにするものであることであり、
力に依存するエラーと力効果のモデルのパラメータとの間の関係の状態ダイアグラムは、その軸に関する機器の一連の回転によって引き起こされうるエラーパラメータの影響を含む、
ことを特徴とする請求項７に記載の方法。
【請求項９】
複数の機器の回転を代表する前記状態ダイアグラムを通して少なくとも１つのパスを決定することをさらに備えることを特徴とする請求項８に記載の方法。
【請求項１０】
少なくとも１つのパスを決定することには、前記状態ダイアグラムを通してあり得るクローズドな多数のループパスを決定することを含み、クローズドなループパスは回転パスであってその初期の位置へと戻る回転パスである、
ことを特徴とする請求項９に記載の方法。
【請求項１１】
クローズドなループパスの数を決定するにあたり、ありうるパスから、サーチした多数のパスを減らすパス除去プロセスを実行すること、
をさらに備えることを特徴とする請求項１０に記載の方法。
【請求項１２】
クローズドなループパスのサーチは、大きなエラー感度を示す最も短い回転回数を有する回転シーケンスを認識することを特徴とする請求項１１に記載の方法。
【請求項１３】
較正目的のための１つまたは複数の力効果のパラメータを解くこと、
をさらに備えることを特徴とする請求項１に記載の方法。
【請求項１４】
慣性機器の出力に存する力に依存するエラーを決定する１または複数の指示を有し、プロセッサにより実行されるとき、プロセッサに対し指示を実行させる機械可読なメディアであって、
慣性機器の測定結果を複数回得ることと、
慣性機器の出力に存在する力に依存するエラーの力効果のモデルを、機器により経験された入力された力に基づく前記慣性機器の測定結果から導出することと、
から構成される機械可読なメディア。
【請求項１５】
複数軸をサポートするシステムにおける軸についての一連の機器の回転に基づいてエラーパラメータを導出することであって、状態ダイアグラムは、その軸に関する機器の一連の回転によって引き起こされうるエラーパラメータの影響を含む、
ことをさらに備えることを特徴とする請求項１４に記載の機械可読なメディア。
【請求項１６】
機器の多数の回転を代表する前記状態ダイアグラムを通して、少なくとも１つのパスを決めるために回転パスを導出すること、
をさらに備えることを特徴とする請求項１５に記載の機械可読なメディア。
【請求項１７】
前記回転パスは、前記状態ダイアグラムを通してあり得る多数のクローズドなループパスを決定し、クローズドなループパスは回転パスでありその初期の位置へと戻る回転パスであって、
クローズドなループパスの数を決定する際に、あり得るパスから、サーチした多数のパスを減らすためのパス除去プロセスを実行すること、
をさらに備えることを特徴とする請求項１６に記載の機械可読なメディア。
【請求項１８】
前記力効果のモデルは、機器が経験した入力された力の関数として導出されることを特徴とする請求項１７に記載の機械可読なメディア。
【請求項１９】
慣性機器の出力に存する力に依存するエラーを較正する方法であって、
慣性機器の複数の測定結果を作成するステップと、
前記慣性機器の測定結果から慣性機器の出力に存する力に依存するエラーの力効果のモデルを導出するステップと、
１または複数の力に依存するエラーと力効果のモデルのパラメータとの間から関係を開発し、１または複数の力に依存するエラーは回転のシーケンスから作成されるステップと、
から構成される方法。
【請求項２０】
前記力に依存するエラーは、重力場の中の慣性機器の回転の関数として代表されることを特徴とする請求項１９に記載の方法。
【請求項２１】
前記力に依存するエラーは、慣性機器に適用された加速度の関数であることを特徴とする請求項１９に記載の方法。
【請求項２２】
１または複数の力に依存するエラーを励起し、観察する回転のシーケンスの最初のセットを探すステップと、
較正目的の力効果の１または複数のパラメータを解くステップと、
をさらに備える請求項１９に記載の方法。
【発明の詳細な説明】
【技術分野】
【０００１】
本発明は、力に依存する（force-dependent）エラーによるジャイロスコープの出力を訂正するシステムおよび方法に関する。特に本発明の一実施例は、力が影響するモデルを利用するジャイロスコープの較正方法に関連する。
【背景技術】
【０００２】
飛行機の慣性飛行は、飛行機が離陸準備をするときから始まり、飛行機が着陸し動きが止まって終わるシーケンスの間にデータを統合することに依存する。飛行機の慣性飛行システム（Inertial Navigation System; ＩＮＳ）は加速度計やジャイロスコープのような複数のコンポーネントを含む。それらは、慣性力の効果を加速度、速度、位置測定に変換する。加速度計は３つの直交した感度軸（orthogonal sensitive axes）に沿って加速の力を決定し、このデータは、データの統合を通じて、飛行機の速度や位置に変換される。飛行機の幾何学的な関係において、加速度計が固定されているストラップダウン（strapdown）システムでは、飛行機の姿勢を測定するジャイロスコープは、加速度計の軸の姿勢をも測定する。ジャイロスコープで測定されたデータは、空間的に安定した適切な軸に沿って、加速度計の出力を解くために採用される。
【発明の開示】
【発明が解決しようとする課題】
【０００３】
ジャイロと加速度計との出力の正確さに影響を与えるエラーのため、飛行システムの測定や機能の正確さを保証するために補償が必要になる。システムや機器は、様々な形式を採り、また、出力を行うための本質的に異なるテクノロジーに依存する。ジャイロスコープは、ジンバル（gimbaled）機械または電気機械の配置（arrangement）や、リングレーザや光ファイバの配置や、その他の配置を含んでいてもよい。一方、加速度計はぶら下がった塊の形状からなることができ、および／または圧電技術やシリコン技術を採用することもできる。にもかかわらず、それぞれの慣性飛行システムの配置は、多かれ少なかれ、その機能的なコンポーネントのエラー特性のために、不正確さに直面する。
【０００４】
なぜならば、慣性の格付け（grade）機器は、動きに対して非常に大きなダイナミックレンジを測定することを要求されるからであり、通常は、それらの機器は最新の技術に依存する。これらのセンサは非常に小さい量を測定しなければならない。たとえば、飛行を格付けする加速度計は標準の重力加速度の数百万分の一の加速度を測定しなければならない。また、ジャイロは地球の回転の割合の数十万分の一を測定しなければならない。しばしば、これらの大きさについて詳細なエラーの原因を正確に認識することが不可能になる。可能であればいつでも、測定が汚染されることを防ぎ、偏流（drifts）に対する感度を減少させるために、個々のエラーの原因を孤立させるべきである。特に、ジャイロのエラーの見積については、加速度計のエラーに対して不感とすべきである。というのは、加速度計のエラーは、通常は、ジャイロのエラーよりもずっと大きいからである。
【０００５】
較正モデルを使うことで加速度計のエラーによるジャイロのエラーを独立に見積もる１つのアプローチは、J. Mark et al., in “Fast Orthogonal Calibration of a Ring Laser Strapdown System,” Symposium Gyro Technology, Sept. 1986, Stuttgart, West Germanyの記事に記載されている。この記事の執筆者の何人かは、本出願の発明者でもある。この記事で公開された内容は、本出願に参照として含まれる。このアプローチは、２軸のレートテーブル（rate table）を用いてそれぞれの軸について９０度回転することが、どのように、スケール係数（scale factor）のための軸の傾きや方位角のエラーを増加するよう生成し、またどのようにジャイロのトライアド（gyro triad）の直交エラーを生成するかについて、図解した状態ダイアグラムを用いて、直交するジャイロのトライアドの高速な較正を提供した。総合的な姿勢のエラーの変化は、状態ダイアグラム上のある位置から別の位置に移動することにより起こる。ジャイロの較正のプロセスにおいて、加速度計の影響を最小限にするため、スタート地点で終わる状態ダイアグラムを通した回転パス（rotation path）が利用され、加速度計の定常的なエラーによる水平傾斜の観測（level tilt observations）の汚染を除去した。
【０００６】
高速な直交較正手法や、他の過去のアプローチは、加速度計のエラーからジャイロのエラーを独立に見積もる方法を提供した。しかし、これらの過去の手法は、力のかかる状態の下でジャイロスコープが展示しているところを見つかったエラー出力の理由を説明しなかった。力に依存するジャイロスコープのエラーは、較正の手順の間にスケール係数およびジャイロのトライアドの直交エラーを見積もるという過去のアプローチの計算を汚染しうる。
【０００７】
先行技術の欠点および不利益は、力に依存するジャイロスコープの感度を測定するシステムおよび方法を提供する本発明の一つの側面により軽減される。ジャイロスコープの出力に関する加速度または力の効果の力効果モデルは、本発明により初期的に決定される。本発明では、さらに、前述の力効果モデルのパラメータを励起し、観察する回転シーケンスを利用する方法を示す。これらのパラメータは、その後、力に依存するエラーの較正に使われてもよい。ジャイロスコープの力効果モデルのパラメータを含む状態ダイアグラムは、状態ダイアグラムにおいてある位置から別の位置に移ることにより、対応する動きにしたがってジャイロスコープのトライアドが回転することで起きるジャイロスコープのエラーを示す力効果モデルから得られる。本発明は、加速度計の較正からジャイロスコープの較正を分離するための特定の回転の数を有する２軸のレートテーブルの状態ダイアグラムを用いて、達成できるすべてのクローズドなループパスを探し出す新しいアルゴリズムを提供する。最小限の長さを有し、より大きなエラー感度を示すクローズドなループパスは、エラーのパラメータを較正し、力に依存するジャイロスコープの感度を下げるために選択される。
【０００８】
新規なものであると信じる本発明の特徴は、追加された請求項の詳細とともに示される。本発明は、その機構および実施手法に関して、さらなる有益性とともに、参照番号が図面を通してパーツのように指定している図面を取り込み、以下の記載を参照することで最良の理解をできるかもしれない。
【課題を解決するための手段】
【０００９】
以下の記載は、当業者が本発明を利用し、発明を実行できるように、発明者により熟考されたベストモードを説明するために提供される。しかし、様々な変形は、当業者にとっては容易で明らかである。というのは、ここに記載した本発明の一般原則は、特に、力に依存するジャイロスコープの感度を測定する方法を提供するために定義されたものだからである。
【発明を実施するための最良の形態】
【００１０】
ジャイロのいくつかの型をテストしている間に、本発明の発明者はジャイロの出力はジャイロの感度軸（sensing axis）に沿って加えられた力および入力周波数に比例することを発見した。テストにおいては、ジャイロは、線形の重力がジャイロの感度軸のｚ軸に沿って加わるように、振動するテーブルの上に垂直にマウントされた。ジャイロの出力の周波数応答は、５０から５００Ｈｚまでの間の周波数範囲において、一定の重力を正弦曲線を描いて振動して及ぼすようにして得られた。
【００１１】
図１は、本発明の一の実施例の一面にしたがって、ジャイロのトライアドの較正を行う方法を例示するフローダイアグラムである。テスト結果から、ジャイロの出力は重力および振動周波数１０２に比例すると観測された。ジャイロの出力は以下のようにモデル化できる：
【００１２】
【数１】
2006514294.tif 000003
【００１３】
ここで、β（ｆ）はジャイロのバイアス出力（bias output）であり、単位はdeg/secまたはarcsec/secであり、周波数領域である。ｆは入力周波数であり、単位はHzである。Ｇは入力される重力であり、単位はgである。そしてｋは比例定数であり、単位は(deg/sec)/g/Hzまたは(arcsec/sec)/g/Hzである。
【００１４】
周波数領域にあるこの入力／出力関係は、時間の領域１０４に変換することができる：
【００１５】
【数２】
2006514294.tif 000004
【００１６】
【数３】
2006514294.tif 000005
【００１７】
ここで、（・）は時間の導関数であり、ｋの単位は、sec*Hz=1に注意して、deg/gまたはarcsec/gに変換される。
【００１８】
ストラップダウンの慣性飛行システム（ＩＮＳ）における、力の影響するモデリング
【００１９】
上記の等式群は、ストラップダウンの慣性飛行システム（ＩＮＳ）における３次元の状況１０６に、以下のように拡張することができる：
【００２０】
【数４】
2006514294.tif 000006
【００２１】
ここで、Ｓは３×３の力の影響するモデルのパラメータの行列であり、次のように定義される。
【００２２】
【数５】
2006514294.tif 000007
【００２３】
また、それぞれのＳｉｊは上述のｋと同じ単位であり、一方でＧＢはボディーフレーム（body frame）Ｂにかかる重力のベクトルであり、加速度計により測定される。
【００２４】
飛行フレーム（navigation frame）の傾きのエラーＮは、以下、１０８で示すように計算される：
【００２５】
【数６】
2006514294.tif 000008
【００２６】
なぜならば、
【００２７】
【数７】
2006514294.tif 000009
【００２８】
【数８】
2006514294.tif 000010
【００２９】
であるから、
【００３０】
【数９】
2006514294.tif 000011
【００３１】
ここで、ＦＮ＝−ＧＮは、加速度計により測定される特有の力のベクトルである。式９は、容易に統合でき、その力が誘導した傾きのエラーを評価できる。
【００３２】
較正の結果に関する加速の効果
【００３３】
スケール係数によるジャイロの傾きのエラー、および照準のずれ（misalignment）のエラーは次のようにモデル化できる：
【００３４】
【数１０】
2006514294.tif 000012
【００３５】
ここで、Ｍは３×３のジャイロのエラーのパラメータの行列であり、数１１の巡回行列または数１２の下三角行列として定義される：
【００３６】
【数１１】
2006514294.tif 000013
【００３７】
【数１２】
2006514294.tif 000014
【００３８】
ここで、Ｓｉはジャイロのスケール係数のエラーであり、Ｍｉｊは照準のずれのエラーである。これらの２つの行列のどちらかが、ＭｘｚとＭｚｘとを入れ替えただけの違いであろう差分（difference）とともに、以下の微分で使われる。通常、ＩＮＳシステムの較正のためには、一組のシステムの回転（system rotation）が用いられ、すべてのエラー変数の値を計算するために、測定の観察におけるそれらの変数を表す。好ましい較正手法は、高速直交較正であり、これはJohn Mark, et al.の参照として含まれる上述の記事に記載がある。このアプローチは、ジャイロのトライアドの回転により生じる全てのエラーパラメータの影響を示す、較正の「状態ダイアグラム」を創り出した。回転シーケンスは、最大の感度を提供し、全体のテストの時間を短縮するだけでなく、二次汚染を防止するために、ジャイロのエラーを、加速度計のエラーから切り離すように選択される。本発明では、この状態ダイアグラムの手法を、同じ利益を得るために利用できる。
【００３９】
状態ダイアグラムは、上述の力の影響するモデル１１０に由来する。較正の手順を単純化し、較正の時間とコストを削減するために、本発明の好ましい実施例では、低コストの２軸のレートテーブルを用い、回転を９０度の整数倍に制限した。この好ましい実施例では、全部で１６のシステム指向性（system orientation）がありうる。対応するパスに依存するジャイロの傾きのエラーは、数１０の統合によって計算され、また、図１のテーブルに示す状態ダイアグラム行列の形で提供される。ジャイロのトライアドにおける９０度の内部のジンバルローテーションの垂直な移り変わりに対応した４つの平行なグループがあり、また、それぞれのグループには、９０度の外部のジンバルローテーションの垂直な移り変わりに対応した４つのエントリがある。４×４のテーブルのそれぞれのエントリは、最初の３つの列は水平の（外部ジンバル）移り変わりによる３つの（ｘ、ｙ、ｚ）傾きのエラーであり、第２の３つの列は垂直の（内部ジンバル）移り変わりによる３つのエラーである。座標の定義は以下の通りである：ｘはロール軸であり、ｙはピッチ軸であり、ｚはヨー／ヘッディング軸である。ヘッディングが０であるとき、ｘは正の外部ジンバルが北を指しているのと同じ方向であり、ｚは正の内部ジンバルが下方を指しているのと同じ方向である。
【００４０】
ジャイロのエラーは、初期位置にいつも戻ってくる一方でクローズドなループパス（closed loop path）として参照される回転パスを選択することにより、加速度計のエラーとは別個に見積もることができる。指定した回転の数に依存するため、上記の条件を満足できるパスの数は限られている。しかし、これらのクローズドなループパスをサーチするためには、指定した回転の数とともにサーチの時間は指数的に増大する。
【００４１】
クローズドなループパスのサーチについてより効率的な手法を提供するために、本発明ではパス除去のプロセス１１２を用いた新しいサーチアルゴリズムを使用する。
【００４２】
図２は、本発明の一実施例の一つの側面にしたがって新しいサーチアルゴリズムを実行する方法を例示したフローダイアグラムである。内部（i）および外部（o）の回転軸を有する２軸のレートテーブルであって、その上にジャイロのトライアドが紐付けされているまたは取り付けられているものを用いることが、このアルゴリズムでは仮定されている。また、このテーブルは各ステップにおいて、各軸９０度回転されることが仮定されている。したがって、全部で１６の異なった状態、すなわちジャイロのトライアドの向きがあり得る。
【００４３】
サーチのパス長（パス長Ｎ）は、ジャイロのトライアドが取り付けられているテーブルまたはプラットフォームが、最初の元の方向に戻るために特定される回転の数である。カウンタ（カウンタｋ２０２）は、サーチ中の今までのステップ数をカウントする。カウントは１からはじまり、Ｎまで上昇し、サーチの終わりには０で終わる。サーチの現在の状態（Current State２０２）は、サーチ中のジャイロのトライアドの現在の向きを認識し、また、デフォルトの最初の状態として初期化される。パスの除去のプロセスは、現在の状態が、テーブルの動きの過去の履歴２１０および２１４のいずれにも重ならないことを確認するために実装される。これによって、冗長なサーチの数が減り、サーチ時間を短縮できる。サーチの現在の状態は、現在のテーブルのローテーションのステップ２０６、たとえば、外部の軸の回転に初期化されるioの条件にしたがって新しい状態へ移り変わる。最終的には、特定されたパス長Ｎ２０８の終わりに、サーチの現在の状態が最初の状態２１６に戻ったかどうかがチェックされる。もし戻っていたら、それを成功したクローズドなループパスとして得点し、将来のエラーの分析のために記録される（２１８）。もし戻っていなければ、もしくはサーチの終了までにたどり着いていなければ、プロセスが全てのあり得る外部の／内部の回転の組み合わせ２１２、２２０、２２２を周期的に繰り返すことを継続する。
【００４４】
改良されたアルゴリズムは、全てのあり得るクローズドなループパスを探すのに必要な時間量を減らすことによって向上した効率を提供する。下記の表１はサーチ結果を示す。パス長Ｎは選択されたジャイロのトライアドの回転数である。あり得るパスはあり得る内側の／外側のジンバルの回転の組み合わせ（io）であり、総数は４Ｎになる。サーチパスは本発明のアルゴリズムを用いて実際にサーチされたパスの数である。ありうるパスの数に比べて大幅に少ない数のサーチパスが要求されることが表１よりわかる。クローズドなループパスは求めるべきサーチ結果の数である。
【００４５】
【表１】
2006514294.tif 000015
【００４６】
一旦全てのクローズドなループパスが発見されると、それらのパスに沿って蓄積されたジャイロの傾きのエラーが、先に開発された状態ダイアグラムを用いて計算される。水平の傾きで観測できるもののそれぞれの中のエラーパラメータの単純な組み合わせを生み出す独立したパスが好ましくは選択される。全てのエラーパラメータを観測することができるようにするため、我々はジャイロのエラーの較正を完成させるいくつかのパラメータのために、４５度の回転を使うことを必要とする。
【００４７】
上述の回転のシーケンスの間に蓄積された２軸の水平の傾きのエラーのためのジャイロの較正の結果を、下記の表２に示す。したがって、これらのエラーは水平軸の加速を測定することにより得られたものである。同じ表２に、同じ回転のシーケンスにより蓄積された力効果（force-effect）によるエラーをリストとして示す。
【００４８】
【表２】
2006514294.tif 000016
【００４９】
見て分かるとおり、ジャイロが動作することにより生まれる力から誘導されるエラーは、ジャイロのエラーと対応し、較正がなければエラーの主要源を構成するであろう。
【００５０】
２軸のレートテーブルを用いた力効果の較正
【００５１】
ジャイロのエラーから加速度のエラー（または力のエラー）を分離するために、図３に示す表に類似する表が、力効果のために、数９を統合することによって生成される。この表は図４に例示される。全体の蓄積された傾きのエラーを計算するために、早く見つかった同じクローズドなループパスが再使用され、今回は、図３と図４との両方をまとめた表が用いられた。これらの結果から、３つの独自の回転シーケンスが最良の結果を得るために選択された。これらの回転のシーケンスは下記の表３に、テスト１〜３のリストとしてある。これらの新しいテストは、データを生むための古いテスト４〜６に付け加えられた：
【００５２】
【表３】
2006514294.tif 000017
【００５３】
興味のある力の効果のモデルの個々のパラメータを選び出すためには、これらのテストはさらなる修正を要求する。そうするために、力の効果のモデルのパラメータの行列内のさらに９つ増えたパラメータのために、回転のシーケンスを追加することが必要になる。結果として、本発明では３つの追加テスト、すなわち下記の表４記載のテスト７〜９を利用し、全てのエラーパラメータの観測を完了する。
【００５４】
【表４】
2006514294.tif 000018
【００５５】
上述の通り、本発明の様々な実施例にしたがった、力に依存するジャイロスコープの感度の測定方法は、ジャイロスコープの出力に存する力に依存するエラーを決定する新しい手法を提供する。このような力に依存するエラーを決定し、孤立させることで、本発明はそのような力に依存するエラーが、較正中に、ジャイロのトライアドのスケール係数のエラーや直交エラーによって汚染されることを防ぐことができる。
【００５６】
本発明は、慣性機器に存する力に依存するエラーのモデル化や見積の方法を提供することもできる。本発明で示した内容を適用することで、本発明は飛行機のＩＮＳと結合してすでに使われているハードウェア以外のハードウェアを要求せず、また、ＩＮＳの設定に関係なく、ジャイロや加速度計を含む構成機器の較正手順を、実質上、より使いやすくする。それゆえ、その方法は固定された（strapdown）ジンバルの配置に基づいたＩＮＳの性能を取り囲み、高める。その方法は機器のテクノロジーに広く適用される。テクノロジーはリングレーザ、光ファイバ、機械式、電気機械式、圧電式を含み、また、これらに限定されない。
【００５７】
図面中に具体的な実施例が記載され、提示された一方で、そのような実施例は例示に過ぎず、その広い発明に関してはそのような実施例に限定されないものと理解される。また、この発明は提示され、記載された特定の構造や配置に限定されないものと理解される、というのは様々な他の修正が可能だからである。さらに、本発明やそのいくつかの特徴をハードウェアやプログラマブルデバイス、ファームウェア、ソフトウェア、これらの結合として実装することも可能である。たとえば、本発明または本発明の部分は、磁気、光学、または半導体ストレージメディアのような、プロセッサが可読なストレージメディアや機械可読なメディアの中に具現化されうる。当業者は、本発明の範囲または精神から離れることなく、記載された好ましい実施例の様々な適応や修正を形作ることができることを正しく認識するであろう。それゆえ、追加された請求項の範囲の中で、本発明は、特にここで記載したものと異なるものを実施されうるものと理解される。
【図面の簡単な説明】
【００５８】
【図１】本発明の一実施例の一面にしたがったジャイロのトライアドの較正方法を示すフローダイアグラムである。
【図２】本発明の一実施例の一面にしたがった新しいサーチアルゴリズムを実施する方法を示したフローダイアグラムである。
【図３】本発明の一実施例の一面に対応したジャイロのトライアドの内外のジンバルの回転のためのジャイロのエラー状態ダイアグラム行列である。
【図４】（Ａ）、（Ｂ）、（Ｃ）および（Ｄ）は、本発明の一実施例の一面に対応したジャイロのトライアドのジンバル回転のための力に依存するエラー状態ダイアグラム行列である。
【図１】
2006514294.tif 000021
【図２Ａ】
2006514294.tif 000022
【図２Ｂ】
2006514294.tif 000023
【図３】
2006514294.tif 000024
【図４Ａ】
2006514294.tif 000025
【図４Ｂ】
2006514294.tif 000026
【図４Ｃ】
2006514294.tif 000027
【図４Ｄ】
2006514294.tif 000028
【国際調査報告】
2006514294.tif 000029
2006514294.tif 000030